(57)【要約】【課題】  複数のチャネル評価するレシーバーの方法及び装置を提供する。【解決手段】複数のチャネル評価するレシーバーの方法及び装置が開示される。その方法は、コンポジット信号を受信するレシーバーを含む。コンポジット信号は複数の送信アンテナのそれぞれからの信号を含み、各送信アンテナの信号は、他のアンテナの他の信号に関連する遅延を含む。レシーバーは、複数の周波数において受信したコンポジット信号の振幅及び位相に基づいて、レシーバーと複数の送信アンテナの間でチャネルを評価する。【選択図】図２
2011501536.tif 000002
【特許請求の範囲】
【請求項１】
レシーバーがコンポジット信号を受信するステップと、複数の周波数において受信したコンポジット信号の振幅と位相に基づいて、レシーバーが、レシーバーと複数の送信アンテナの間のチャネルを評価するステップを備え、前記コンポジット信号は、複数の送信アンテナのそれぞれからの信号を含み、前記各送信アンテナの信号は、他のアンテナの他の信号に関連する遅延を含む複数のチャネルを評価するレシーバーの方法。
【請求項２】
前記遅延は、巡回遅延を含む請求項１記載の方法。
【請求項３】
前記巡回遅延は、少なくとも、巡回遅延ダイバーシティ(CDD)及び循環シフト送信ダイバーシティ（CSTD）の一つを含む請求項２記載の方法。
【請求項４】
前記各送信アンテナの信号は、さらに、他のアンテナの他の信号に関連する振幅変動を含む請求項１記載の方法。
【請求項５】
各信号は、直交周波数分割多重（OFDM）信号である請求項１記載の方法。
【請求項６】
前記レシーバーは、さらに、チャネルを評価するためのチャネル・タップ遅延を用いる請求項１記載の方法。
【請求項７】
前記チャネル遅延タップは、個々のチャネルと関連する電力遅延プロファイルの頻度を認識することによって評価される請求項６記載の方法。
【請求項８】
複数の送信アンテナからの信号を送信する基地局は、巡回遅延に関する情報を送信する請求項１記載の方法。
【請求項９】
前記送信された情報は、さらに、送信された信号の振幅変動を含む請求項８記載の方法。
【請求項１０】
前記受信された信号は、送信信号のCDD領域中で巡回遅延で送信され、前記チャネル評価は、CDD領域外で受信された信号の信号頻度を改善するために用いられる請求項１記載の方法。
【請求項１１】
前記受信信号は、WiMAX信号を含み、前記WiMAX信号はCDD領域を含んでおり、前記CDD領域は、少なくともプリアンブル、マップ及びデータを含む請求項１０記載の方法。
【請求項１２】
前記WiMAX信号は、前記CDD領域外で少なくともデータを含む請求項１１記載の方法。
【請求項１３】
さらに、アップリンクビーム形成信号の特性が、評価されたチャネルに基づいて選択されるアップリンクビーム形成信号を、前記レシーバーが送信することを含む請求項１記載の方法。
【請求項１４】
前記チャネルは、フラット・チャネル応答とみなし、及び複数のOFDM信号の副搬送波におけるパイロット測定を用いて巡回遅延の情報に基づき、チャネル応答に対する式を解くことによって評価される請求項５記載の方法。
【請求項１５】
OFDM符号の連続的なパイロットの間で検出された振幅変動が、閾値よりも小さいときは、前記チャネル応答がフラットであると看做される請求項１４の方法。
【請求項１６】
レシーバーがコンポジット信号を受信するステップと、複数の周波数において受信したコンポジット信号の振幅と位相に基づいて、レシーバーが、レシーバーと複数の送信アンテナの間のチャネル・タップ遅延を評価するステップを備え、前記コンポジット信号は、複数の送信アンテナのそれぞれからの信号を含み、前記各送信アンテナの信号は、他のアンテナの他の信号に関連する巡回遅延を含む複数のチャネルのタップ遅延プロファイルを評価するレシーバーの方法。
【請求項１７】
前記チャネル遅延タップは、個々のチャネルと関連する電力遅延プロファイルの頻度を認識することによって評価される請求項１６の方法。
【請求項１８】
各送信アンテナの信号が送信信号のCDD領域中で他のアンテナの他の信号に関連する巡回遅延を含む多重アンテナからの信号を、基地局が送信するステップと、前記基地局が巡回遅延に関連する情報を送信するステップと、前記基地局が、送信信号のCDD領域外で多重アンテナからの多重信号を送信するステップを備える基地局送信の方法。
【発明の詳細な説明】
【技術分野】
【０００１】
記載された実施態様は、一般に、無線通信に関連している。より詳しくは、記載された実施態様は、複数の遅延送信信号の受信に基き、送信チャネルを評価するレシーバーの方法及びシステムに関する。
【背景技術】
【０００２】
モバイルWiMAXは、厳しいサービス要件において、期待に沿うことができる無線アクセスを提供するために開発された無線プラットフォームである。
【０００３】
さまざまな高度なマルチアンテナの実現への支援強化と同時に、モバイルWiMAXは、より高い性能、より少ないサイト、より少ないスペクトル及び低コストで、増大するネットワーク需要を満たす無線アクセスを提供する。
【０００４】
基地局及び高機能の信号処理と組合されたエンド・ユーザーのデバイスにおいて、多重アンテナ技術は、極めて閉塞された伝搬環境及び高速モビリティ・サービスを含む最も厳しい用途のシナリオに対して、通信リンクを劇的に向上させることができる。
【０００５】
従来の無線ネットワーク方式が、通信リンクを供給するために、エンド・ユーザーのデバイスにおいて基地サイトのセクタ化及び単一の全方向式アンテナを長い間使用してきたところでは、オペレーターは、高度なマルチアンテナを実現することによって、強固な無線ネットワークを開発するための新しい技術を手にする。
【０００６】
工業上の供給メーカーや情報筋は、マルチアンテナの実現に言及する多くの命名法を生み出してきた。簡単に言えば、MIMO (multiple input multiple output；多重入出力)という用語は、どのようなマルチアンテナ技術を指す場合にも用いることができる。
【０００７】
MIMOアンテナシステムは、符号分割多重アクセス(CDMA)ネットワーク、時分割多重化(TDM) ネットワーク、時分割多重アクセス(TDMA) ネットワーク、直交周波数分割多重(OFDM) ネットワーク、直交周波数分割多重アクセス(OFDMA) ネットワークなどに用いられている。
【０００８】
スループットを最大限に発揮させるために、MIMOネットワークは、無線ネットワークの基地局とモバイル機器との間の送信チャネルを評価するために、さまざまなチャネル評価技術を用いている。使用されるチャネル評価技術は、無線ネットワーク方式（即ち、CDMA, TDM/TDMA, OFDM/OFDMA)に依存している。
【発明の概要】
【発明が解決しようとする課題】
【０００９】
送信チャネルの評価方法は、主として、有用な時間と周波数伝送空間を占めるパイロットに依存している。即ち、それらの典型的な方法は、帯域幅（時間及び／又は周波数）を必要とし、それ故、システム容量を占有する専用の信号伝達オーバーヘッドを必要とする。
【００１０】
さらに、モバイル端末（加入者）を含む無線ネットワークは、頻繁に変化する送信チャネルを有する。従って、この送信チャネルは、頻繁に再評価又は更新される必要がある。結果として、モバイル端末を含む無線ネットワークは、チャネル評価に対して専有される、より大きな容量をも必要とする。
【００１１】
無線ネットワークの基地局とモバイル端末の間の送信チャネル情報を評価及び／又は更新するためのシステム及び方法を保有することが要望されている。その方法及び装置は、さらなるオーバーヘッドを必要としないことが望ましい。
【課題を解決するための手段】
【００１２】
一つの実施態様は、複数のチャネルを評価するレシーバーの方法を含んでいる。その方法は、コンポジット信号を受信するレシーバーを含み、このコンポジット信号は、複数の送信アンテナのそれぞれからの信号を含んでおり、そこでは各送信アンテナの信号が他のアンテナの他の信号と関連する遅延を含んでいる。
【００１３】
レシーバーは、複数の周波数で受信したコンポジット信号の振幅と位相に基き、レシーバーと複数の送信アンテナとの間のチャネルを評価する。
【００１４】
他の実施態様は、複数のチャネルのタップ遅延プロフィールを評価するレシーバーの方法を含む。この方法は、コンポジット信号を受信するレシーバーを含み、このコンポジット信号は、複数の送信アンテナのそれぞれからの信号を含んでおり、そこでは各送信アンテナの信号が、他のアンテナの他の信号と関連する遅延を含んでいる。
【００１５】
このレシーバーは、複数の周波数において受信したコンポジット信号の振幅と位相に基き、レシーバーと複数の送信アンテナとの間のチャネル・タップ遅延を評価する。
【００１６】
他の実施態様は、基地局送信の方法を含む。この方法は、多重アンテナからの信号を送信する基地局を含み、そこでは各送信アンテナの信号が、送信信号のCDD領域中で他のアンテナの他の信号に関連する巡回遅延を含んでいる。
【００１７】
この基地局は、巡回遅延に関する情報を送信する。この基地局は、送信信号のCDD領域外の多重アンテナからの多重信号を送信する。
【発明の効果】
【００１８】
オーバーヘッドを増大せずに、無線ネットワークの基地局とモバイル端末の間の送信チャネル情報を評価及び／又は更新するためのシステム及び方法を保有することができる。
【図面の簡単な説明】
【００１９】
【図１】レシーバーに対する多重遅延信号を送信する基地局の一例を示す。
【図２】レシーバーに対する多重遅延信号を送信する基地局の実施態様の他の例を示す。
【図３】レシーバーに対する多重遅延信号を送信する基地局の実施態様の他の例を示す。
【図４Ａ】多重アンテナト・ランスミッタから受信したCDD信号の電力遅延プロファイルの一例の異なる一部分を示す。
【図４Ｂ】多重アンテナト・ランスミッタから受信したCDD信号の電力遅延プロファイルの一例の異なる一部分を示す。
【図４Ｃ】多重アンテナト・ランスミッタから受信したCDD信号の電力遅延プロファイルの一例の異なる一部分を示す。
【図５】送信信号のCDD領域及び他の領域を含むダウンリンク・フレームの一例を示す。
【図６】多重送信アンテナ、多重送信チャネル及び少なくとも一つの受信アンテナの一般的な例を示す。
【図７】複数のチャネルを評価するレシーバーの一例の方法のステップを示すフローチャートである。
【図８】複数のチャネルのタップ遅延プロファイルを評価するレシーバーの一例の方法のステップを含むフローチャートを示す。
【図９】基地局送信（伝送）の一例の方法のステップを含むフローチャートを示す。
【発明を実施するための形態】
【００２０】
本発明の他の態様及び利点は、一例として本発明の原理を説明している添付図面を参照して、以下の詳細な説明から明らかになるであろう。
【００２１】
以下、本発明の実施例について説明する。
【実施例】
【００２２】
詳細な実施態様は、  多重送信アンテナから受信した多重遅延信号に基き、基地局と無線ネットワークのモバイル端末の間の送信チャネル情報を評価し、及び／又は更新するための方法及び装置を含む。
【００２３】
無線通信信号のフェーディングは、通信信号が、トランスミッタからレシーバーへ多重の異なる経路を送受信するときに発生する。このフェーディングは、一つの経路の通信信号が、他の経路の通信信号と重畳されるときに起こる。
【００２４】
フェーディングに有効な一般的な手法は、周波数ダイバーシティー及び空間ダイバーシティーを含む。多重信号は、異なる周波数及び／又は空間（アンテナ）ロケーションで送信される。この余剰分は、フェーディングの影響を緩和するために用いられる。
【００２５】
周波数ダイバーシティーは、フェーディングが、一般的に、異なる周波数では異なっているという事実に依存しており、それ故、相互に関連性はない。一つの周波数におけるフェードは、他の周波数においては発生しない。一例を挙げれば、レシーバーが多重周波数における信号対雑音比(SNR)を測定し、どの瞬間においても最良のSNRを与えるレシーバー周波数を自動的に選択する。
【００２６】
空間ダイバーシティーは、フェーディングが、一般的に、異なる送信ロケーションにおいて異なっているという事実に依存している。送信周波数波長の倍数によって間隔をあけられたアンテナは、一般的に、比較的に独立してフェードする。
【００２７】
一例を挙げれば、レシーバーは、より小さな量のフェーディングを受ける送信信号を与える送信アンテナから受信することを選択することができる。他の例においては、このレシーバーは、多重送信アンテナから受信された信号を結合する。
【００２８】
図1は、レシーバーに対し多重遅延信号を送信する基地局の一例を示す。多重アンテナ基地局の各遅延信号間の遅延は、巡回遅延である。さらに具体的に言うと、巡回遅延は、巡回遅延ダイバーシティを含む。
【００２９】
CDDは、例えば、ISI（符号間干渉）を最小限に抑えるために、空間的多様性を周波数ダイバーシティに変換するOFDM（直交周波数分割多重）を基礎にした通信システムにおいて用いられるダイバーシティ法である。
【００３０】
他の実施態様に対しては、遅延は、循環シフト送信ダイバーシティ(CSTD)を含む。CSTDは、OFDMシステムに対する遅延ダイバーシティという考え方の適応である。CSTDシステムに対しては、送信アレイ内の各アンテナ素子は、同一のOFDM時間領域符号の環状にシフトしたバージョンを送信する。
【００３１】
各アンテナは、OFDM符号を環状にシフトした後に、循環の先頭部分を加えることに注意すべきであり、従って、循環の先頭部分によってもたらされた遅延間隔の緩和は、CSTDによって影響を受けない。
【００３２】
図１に示すように、多重アンテナ基地局110は、ユーザーのデバイス120に信号を送信する。基地局110及びユーザーのデバイス120は、無線ネットワーク、例えば、WiMAX無線ネットワークの一部である。
【００３３】
MIMO無線システムによって得られる性能優位性を十分に利用するために、このネットワークは、前述の遅延ダイバーシティを含む。
【００３４】
あるシステムにおいては、CDDが、ダイバーシティの目的のために含まれる。しかしながら、多重アンテナ・システムにおいては、CDDによって提供される遅延ダイバーシティは、前述の実施態様を実施又は少なくとも送信チャネルの評価を支援することによって用いられる。
【００３５】
この送信チャネルの評価は、MIMO送信又はビーム形成送信に有効である。
【００３６】
図２は、レシーバーに対する基地局送信多重遅延信号の他の実施態様を示す。図のように、巡回遅延221、 222、 224は、M個のアンテナのそれぞれの送信信号間で基地局（トランスミッタ）によって導入される。
【００３７】
巡回遅延221、 222、 224は、各送信信号間の実時間遅延ではなく、送信信号間の巡回遅延であることを理解すべきである。
【００３８】
レシーバー（モバイル加入者）230は、多重の遅延信号を受信する。図２のレシーバー230は、多重（N）のアンテナを含む。しかしながら、レシーバー230の単一のアンテナは、基地局の多重送信アンテナから受信した多重信号を含むコンポジット信号を受信することができる。
【００３９】
このレシーバーは、複数の周波数において受信したコンポジット信号の振幅と位相に基いて、レシーバーと複数の送信アンテナの間のチャネル（例えば、図２のM×Nチャネル）を評価する。
【００４０】
レシーバーは、巡回遅延式を解くために巡回遅延の情報を用いることができる。
【００４１】
基地局によって送信された遅延信号は、例えば、OFDM（直交周波数分割多重）信号などの多重搬送信号をそれぞれ含むことができる。
【００４２】
多数の式が、レシーバーによって多重搬送波の全域で得られる。この多数の式は、多重の送信チャネルを決定（解く）ために用いることができる。
【００４３】
チャネルのインデックスkは、多重搬送信号の副搬送波を表す。即ち、（送信・受信する）各アンテナ対に対して、多重搬送信号のそれぞれのk副搬送波に対応するk副チャネルが存在する。
【００４４】
図３は、レシーバーに対する基地局送信多重遅延信号の他の実施態様を示す。この実施態様に対しては、遅延は、フィルター321、 322、 324を通して導入される。
【００４５】
図4A、 4B、 4Cは、多重アンテナ・トランスミッタから受信したCDD信号の電力遅延プロファイルの異なる部分の一例を示す。図4A、 4B、 4Cの各電力遅延プロファイルは、別々に示されている。しかしながら、電力遅延プロファイルは、通常、レシーバーにおいて計算され、そしてこのレシーバーによって解析された電力遅延プロファイルは、通常は、図４A、４B、４Cの集積であることを理解すべきである。
【００４６】
図4Aは、典型的なh0チャネルに対する電力遅延プロファイルを示す。電力遅延プロファイルのタップ間の時間τ1、τ2、τ3は、チャネル・タップ遅延（時間）を表す。
【００４７】
このタップの遅延及び振幅（この振幅は、タップの電力を表わしている。）は、「実際の」チャネルを表わしている。
【００４８】
この「実際の」チャネルは、例えば、送信信号が、基地局から加入者端末へ送信信号が送受信されるときに経験するチャネルである。
【００４９】
図4B及び4Cの遅延は、送信された信号間の巡回遅延を表している。
【００５０】
図５は、CDD（巡回遅延ダイバーシティ）領域及び送信信号の他の領域を含むダウンリンク・フレームの一例を示す。
【００５１】
さらに具体的に言えば、図示された典型的なダウンリンク・フレームは、プリアンブル、マップ、及び少なくとも基地局が領域１として示されたCDDを使用している領域の一部である一部のデータを含むWiMAXダウンリンク・フレームである。
【００５２】
具体的なWiMAXの実施態様に対しては、領域１は、単一の送信アンテナ及び多重受信アンテナを意味するSIMO（単一入力、多重出力）領域として指定されている。
【００５３】
実際には、このトランスミッタは、多重送信アンテナを有するが、レシーバーによって受信された信号は、単一の「仮想の」アンテナによって送信されていたように「見える」。
【００５４】
領域２は、多重送信アンテナ及び多重受信アンテナを意味しているMIMO （多重入力、多重出力）領域として指定されている。
【００５５】
ガードTTG、RTGは、ダウンリンク・サブフレームとアップリンク・サブフレームの間に含まれる。典型的なダウンリンク・サブフレームは、32多重搬送波符号を含み、典型的なアップリンク・サブフレームは、15多重搬送波符号を含む。典型的な多重搬送波符号は、1023副搬送波を含む。
【００５６】
CDD領域は、非CDD領域より前に存在する。従って、CDD領域中に行われるチャネル評価は、後から現れる非CDD領域中で利用することができる。
【００５７】
非CDD領域中のMIMO（多重入出力）送信は、MIMO通信又はアップリンク・ビーム形成送信に対して、チャネル評価を利用することができる。
【００５８】
図６は、多重送信アンテナ、多重送信チャネル及び少なくとも一つの受信アンテナの一般化した一例を示す。
【００５９】
具体的な典型的実施態様に対して、M送信アンテナの数は２であり、N受信アンテナの数は１である。
【００６０】
この実施態様に対して、２つの送信アンテナの第２番目から送信された信号は、第１の送信アンテナに対してd2だけ循環的に遅延される。i番目（単一アンテナに対しては、i = 1であることに注意）の受信アンテナにおいて受信した信号は、以下のように表すことができる。
【００６１】
【数１】
2011501536.tif 000003
例えば、hli及びh2iがkの関数でないとき、即ち、送信チャネルがフラットであるとき、副搬送波に対してk = 0である。
【００６２】
【数２】
2011501536.tif 000004
副搬送波に対して、k = (Nfft)/(2d2)
【００６３】
【数３】
2011501536.tif 000005
２つの未知のhli、h2iは、ylkに対する二つの式を用いて容易に解くことができる。
【００６４】
一般方程式が、多重（Mは少なくとも2）送信アンテナによって送信される受信した多重搬送信号を評価するために与えられ、そこでは、遅延タップが、タップ遅延d2、…dMに対応する異なる振幅α2、…αMを有する。i番目のレシーバー・アンテナによって受信された信号は、次の式によって評価される。
【００６５】
【数４】
2011501536.tif 000006
ここで、kは副搬送波インデックス、pkはk番目のプリアンブル・パイロット副搬送波、NfftはFFTサイズ、hMiは送信チャネル及びwkiは付加雑音である。チャネルは、周波数選択的でなく、従って、hはkの関数ではないものと看做されている。
【００６６】
例えば、Nfft = 1024であれば、i番目の受信アンテナで受信された信号のプリアンブル（各第３番目の搬送波が有効な）のマトリクス表示は、（副搬送波k>849が「ガード」副搬送波であると仮定されている）次式で表される。
【００６７】
【数５】
2011501536.tif 000007
より一般的には、全てのレシーバー・アンテナに対しては、
【００６８】
【数６】
2011501536.tif 000008
これは、次式のように、より簡潔に表すことができる。
【００６９】
【数７】
2011501536.tif 000009
次式のMMSE（最小平均2乗誤差）評価をすると、
【００７０】
【数８】
2011501536.tif 000010
ここで、σ2は雑音分散である。
【００７１】
周波数選択的なチャネル（上付き文字は、タップ遅延の次数を表すことに注意）に対しては、
【００７２】
【数９】
2011501536.tif 000011
第i番目のレシーバー・アンテナ（再度、上付き文字は、タップ遅延1…Lの次数を表すことに注意）に対しては、
【００７３】
【数１０】
2011501536.tif 000012
ここで、
【００７４】
【数１１】
2011501536.tif 000013
全てのレシーバー・アンテナに対しては、
【００７５】
【数１２】
2011501536.tif 000014
【００７６】
【数１３】
2011501536.tif 000015
この第i番目の列では、
【００７７】
【数１４】
2011501536.tif 000016
である。
【００７８】
これは、次式によってより簡潔に表すことができる。
【００７９】
【数１５】
2011501536.tif 000017
ここで、MSSE評価は、
【００８０】
【数１６】
2011501536.tif 000018
である。
【００８１】
図７は、複数のチャネルを評価するレシーバーの一例の方法のステップを示すフローチャートである。
【００８２】
第１のステップ710は、コンポジット信号を受信するレシーバー、複数の各送信アンテナからの信号を含むコンポジット信号、他のアンテナの他の信号に関連する遅延を含む各送信アンテナの信号を含む。
【００８３】
第２のステップ720は、複数の周波数において受信したコンポジット信号の振幅と位相に基いて、レシーバーと複数の送信アンテナとの間のレシーバー評価チャネルを含む。
【００８４】
一つの実施態様では、遅延は、巡回遅延を含む。より具体的な実施態様では、この巡回遅延は、巡回ダイバーシティ遅延(CDD)又は巡回空間／時間遅延（CSTD）を含む。
【００８５】
一つの実施態様では、各送信アンテナの送信信号は、さらに、他のアンテナの他の信号に関連する振幅変動を含む。
【００８６】
トランスミッタからレシーバーへの送信中に、送信信号は、多重送信チャネルを伝播することができる。
【００８７】
従って、受信信号は、複数の経路を生じ、その周波数応答において、null値が「深く」なる。
【００８８】
ある状況においては、null値の深さを最小限にするために、送信された信号における振幅変動を導入することは有利である。
【００８９】
実施態様に対して、多重送信信号の送信信号は、多重搬送波信号である。具体的な実施態様に対しては、この多重搬送波信号は、OFDM（直交周波数分割多重）信号である。
【００９０】
一つの実施態様は、チャネルを評価するためにチャネル・タップ遅延を用いるレシーバーを含む。
【００９１】
前述のように、電力遅延プロファイルは、チャネル・タップ遅延を識別するために用いることができ、そして、チャネル・タップ遅延（τi's）は、送信チャネルを評価することに有用である。
【００９２】
CDDによって導入された周波数選択性に対してチャネル自体（ネイティブ）の周波数選択性をレシーバーが識別できるためにチャネル・タップ遅延を用いることができるという理由で、チャネル・タップ遅延は、特に有効である。
【００９３】
一つの実施態様に対して、チャネル遅延タップは、個々のチャネル（hi）と関連付けられている電力遅延プロファイルの頻度を認識することによって、評価される。
【００９４】
例えば、CDDを通じて導入された遅延は、各送信アンテナからの各信号に、送信信号の他の遅延頻度である電力遅延プロファイルを持たせる。
【００９５】
一つの実施態様に対して、基地局（即ち、送信信号間で遅延（時間）を導入する基地局）は、さらに、送信された信号内で遅延についての情報を含む。
【００９６】
実施態様に対して、その情報は、遅延についての情報を含み、さらに、振幅変動情報を含むことができる。例えば、巡回遅延の情報は、前述のダイバーシティを含む。
【００９７】
前に図示し、述べたように、一つの実施態様は、送信信号のCDD領域中に巡回遅延で送信される受信信号を含み、チャネル評価は、CDD領域外で受信された信号の信号受信状態を改善するために用いられる。
【００９８】
基本的には、CDD送信中に決定されるチャネル評価は、CDD送信が発生していない時間において利用される。一つの意味合いは、CDDチャネル評価が十分に頻繁になされているので、チャネル評価は依然として有益であるということである。
【００９９】
一つの具体的な実施態様は、受信信号がWiMAX信号であることを含む。WiMAX信号のフレームの実施態様は、CDD領域が少なくともプリアンブル、マップ及び／又はデータを含むCDD領域を含む。このWiMAXフレームは、さらに、データを含むCDDの外側の部分を含むことができる。
【０１００】
さまざまな方法が、チャネル応答を評価するために用いられる。
【０１０１】
一つの実施態様に対して、チャネルは、フラット・チャネル応答とみなし、そして複数のOFDM信号の副搬送波において、パイロット測定を用いて巡回遅延の情報に基くチャネル応答に対する式を解くことによって評価される。
【０１０２】
即ち、前に図示し述べたように、多重チャネルを含む多重の式は、受信コンポジット信号に基き導き出すことができる。
【０１０３】
一つの実施態様に対して、チャネル応答は、OFDM符号の連続的なパイロットの間で検出された振幅変動が、閾値よりも小さいときは、フラットであると看做される。
【０１０４】
一度、チャネル評価が決定されるか、又は少なくとも増加すると、この評価されたチャネルは、アップリンク・ビーム形成信号を送信しているときに、レシーバーにより用いることができる。即ち、アップリンク・ビーム形成信号の特性は、評価されたチャネルに基いて選択される。
【０１０５】
図８は、複数のチャネルのタップ遅延プロファイルを評価するレシーバーの方法の一例のステップを含むフローチャートを示す。
【０１０６】
第１のステップ810は、コンポジット信号が、複数の送信アンテナのそれぞれからの信号を含み、各送信アンテナの信号が、他のアンテナの他の信号に関連した巡回遅延を含んでいるコンポジット信号を受信するレシーバーを含む。
【０１０７】
第２のステップ820は、複数の周波数において受信したコンポジット信号の振幅と位相に基いて、レシーバーが、レシーバーと複数の送信アンテナの間のチャネル・タップ遅延を評価することを含む。
【０１０８】
一つの実施態様は、個々のチャネル(hi)と関連する電力遅延プロファイルの頻度を認識することによって評価されるチャネル遅延タップを含む。
【０１０９】
図９は、基地局送信の一例のステップを含むフローチャートを示す。
【０１１０】
第１のステップ910は、各送信アンテナの信号が、送信信号のCDD領域中で他のアンテナの他の信号に関連する巡回遅延を含んでいる多重アンテナからの信号を、基地局が送信することを含む。
【０１１１】
第２のステップ920は、基地局が、巡回遅延に関する情報を送信することを含む。
【０１１２】
第３のステップ930は、基地局が、送信信号のCDD領域外で多重アンテナからの多重信号を送信することを含む。
【０１１３】
記載及び図示されてきた本発明の具体的な実施態様にもかかわらず、本発明は、そのように記載及び図示された部分の形式及び配列（配置）には限定されない。本発明は、添付の特許請求の範囲によってのみ限定される。
【産業上の利用可能性】
【０１１４】
複数の遅延送信信号の受信に基いて、送信チャネルを評価するレシーバーの方法及びシステムに有用である。
【符号の説明】
【０１１５】
１１０  多重アンテナ基地局
１２０  ユーザーのデバイス
２２１、２２２、２２４  巡回遅延
２３０  レシーバー（モバイル加入者）
３２１、３２２、３２４  フィルター
７１０、８１０、９１０  第１のステップ
７２０、８２０、９２０  第２のステップ
９３０  第３のステップ
【図１】
2011501536.tif 000019
【図２】
2011501536.tif 000020
【図３】
2011501536.tif 000021
【図４Ａ】
2011501536.tif 000022
【図４Ｂ】
2011501536.tif 000023
【図４Ｃ】
2011501536.tif 000024
【図５】
2011501536.tif 000025
【図６】
2011501536.tif 000026
【図７】
2011501536.tif 000027
【図８】
2011501536.tif 000028
【図９】
2011501536.tif 000029
【国際調査報告】
2011501536.tif 000030